(57)【特許請求の範囲】
【請求項１】
１制御監視局が複数の警報局を制御下に置く放流警報システムに於いて、
上記制御監視局に、
放流警報放送の開始に際し、所定の順次制御モードで上記各警報局に順次放送起動信号を送出し、制御対象にある全ての警報局に放送起動信号を送出した後、当該各警報局に一斉に特定制御信号を送出する手段を設け、
上記各警報局に、
上記放送起動信号受信後、上記特定制御信号を受けることにより、スピーカ駆動を可能にする手段を設けてなることを特徴とする放流警報システム。
【請求項２】
１制御監視局が複数の警報局を制御下に置く放流警報システムに適用される警報局の放流警報装置であって、
上記制御監視局から、全局順次制御モード、ブロック順次制御モード、タイマー順次制御モード、又はブロックタイマー順次制御モード等による順次制御モード下で放送起動信号を受けた際、続いて上記制御監視局から特定の一斉制御信号を受けるまで放送出力を禁止する制御手段を設けてなることを特徴とする放流警報装置。
【請求項３】
１制御監視局が複数の警報局を制御下に置く放流警報システムに適用される警報局の放流警報装置であって、
上記制御監視局より受信した信号に含まれる特定可聴周波数帯の信号成分を除去するフィルタをスピーカを駆動する放送用信号路に介在し、当該フィルタにより、順次制御モード下での放送起動信号順次伝送時に於ける漏音信号を除去したことを特徴とする放流警報装置。
【請求項４】
１制御監視局が複数の警報局を制御下に置く放流警報システムに適用される警報局の放流警報装置であって、
上記制御監視局より受信した信号を所定時間遅延する遅延手段と、
上記遅延手段の遅延時間内に於いて上記制御監視局より受信した信号が放送用信号であるか否かを判定し放送用信号でないとき放送禁止制御信号を出力する判定手段と、
上記判定手段より出力される放送禁止制御信号をもとに警報放送の出力を制御する出力制御手段と
を具備してなることを特徴とする放流警報装置。
【発明の詳細な説明】
【０００１】
【発明の属する技術分野】
本発明は、、及び同システムに適用される放流警報装置に関する。
更に本発明は、全局順次制御モード、ブロック順次制御モード、タイマー順次制御モード、又はブロックタイマー順次制御モード等による順次制御モード下での放送起動信号伝送時に於ける漏音の防止機能を備えた放流警報システム、及び同システムに適用される放流警報装置に関する。
【０００２】
【従来の技術】
河川及びダムの管理用として設置する放流警報システムの構成を図６及び図７を参照して説明する。
図６は本発明で対象とする、建設省仕様による放流警報システムの構成を示すブロック図であり、図７は当該放流警報システムの一構成要素をなす制御監視局の制御監視装置で扱う放流警報水系図の画面構成例を示す図である。
【０００３】
図６に於いて、制御監視局１は、スピーカ警報局２（Ａ）、及びサイレン警報局２（Ｂ）を呼出制御することにより、疑似音吹鳴、サイレン吹鳴、及び音声放送等の動作を行なわせる。また、呼出制御を受けた警報局２から返送される返送信号により警報局２の動作状況の印字及び表示を行なう。
【０００４】
スピーカ警報局２（Ａ）は、疑似音吹鳴、及び音声放送等の動作を行なうとともに、動作状況を制御監視局１へ返送する。この際の音声放送には、制御監視局１からのマイクロフォン放送、親局音声発生による放送、子局音声発生による放送等がある。
【０００５】
サイレン警報局２（Ｂ）は、制御監視局１からの呼出制御により、サイレン吹鳴、疑似音吹鳴、及び音声放送等の動作を行なうとともに、動作状況を制御監視局１へ返送する。
【０００６】
制御監視局１と警報局２，２，…との間の伝送路内に無線回線の中継局３が介在するシステム構成では、制御監視局１が、上記各警報局２，２，…の制御に先立ち、中継局３を自動的に起動させ、同一中継局を利用する最終の中継局３の制御終了後、中継動作を終了する。
【０００７】
尚、制御監視局１と警報局２，２，…との間（中継局３が介在される場合も含む）の無線伝送には、建設省７０ＭHZ帯無線装置、又は建設省４００ＭHZ帯無線装置（図中の無線装置）が用いられる。
【０００８】
制御監視局１は複数の各警報局２，２，…に対して一斉に、又は所定の順序に従い、放流警報の制御を行なう。この際の制御モードには、全局順次制御モード、ブロック順次制御モード、タイマー順次制御モード、ブロックタイマー順次制御モード、全局一斉制御モード、ブロック一斉制御モード等がある。
【０００９】
全局順次制御モードは、全警報局２，２，…に対して局間タイマーを設けず、予め定められた順序に従って制御する方式である。ブロック順次制御モードは、全警報局２，２，…を複数ブロックに分割し、ブロック内を局間タイマーを設けず、予め定められた順序に従って制御する方式である。タイマー順次制御モードは、全警報局２，２，…を局間タイマーの設定時間に従い、予め定められた順序に従って制御する方式である。ブロックタイマー順次制御モードは、全警報局２，２，…を複数ブロックに分割し、ブロック内を局間タイマーの設定時間に従い、予め定められた順序に従って制御する方式である。全局一斉制御モードは、全警報局２，２，…を一斉に制御する方式である。ブロック一斉制御モードは、全警報局２，２，…を複数ブロックに分割し、ブロック内を一斉に制御する方式である。上記各順次制御モードに於いては各警報局の順次制御毎に返送信号による確認動作が伴う。
【００１０】
制御監視局１からの制御による警報動作には、サイレン、サイレン疑似音等の他に、マイクロフォン放送等の音声放送が含まれる。マイクロフォン等による音声放送制御が行なわれた場合は、約５秒間、チャイム音放送を自動的に行ない、その後、制御監視局１から送出される音声を放送する。また、放送終了後は、制御監視局１からの放送停止制御により約５秒間のチャイム音を自動的に放送した後、放送動作を終了する。
【００１１】
各警報局２，２，…は、制御監視局１の制御に従い、自警報局２の動作内容を示す返送信号を送出する。例えば上記各順次制御モード下に於いては、制御監視局１から所定の順序で各警報局２，２，…に、順次、放送起動信号が無線（又は有線）により送信され、各警報局２，２，…は放送起動信号を受信するとスピーカを駆動するためアンプを起動するとともに、返送信号を制御監視局１に返送する。
【００１２】
この際の返送信号には、可聴音と、動作確認信号、及び警報局状態信号等が含まれる。即ち、サイレン、又はサイレン疑似音の制御が行なわれたときは、そのサイレン音又は疑似音を集音して約５秒間返送する。更に続いて、サイレン吹鳴、疑似音吹鳴等を表わす動作確認信号、及び警報局状態信号等を返送する。
【００１３】
また、マイクロフォン等による音声放送制御が行なわれたときは、チャイム音を約５秒間放送するとともに、これを集音して返送する。更に続いて、音声増幅器の起動を表わす動作確認信号、及び警報局状態信号等を返送する。
【００１４】
放送停止制御が行なわれたときも、チャイム音を約５秒間放送するとともに、これを集音して返送する。更に続いて、音声増幅器の停止を表わす動作確認信号、及び警報局状態信号等を返送する。
【００１５】
上記した処理機能以外に、点検、監視、印字等の処理機能があるが、ここではその説明を省略する。
上記したような構成をなす放流警報システムに於いて、従来では、警報局２，２，…の順次制御による起動動作時に於いて、起動済みの警報局より、可聴音信号の伝送に伴う漏洩雑音（漏音）が発生するという問題が生じていた。
【００１６】
即ち、制御監視局１が、全局順次制御モード、ブロック順次制御モード、タイマー順次制御モード、又はブロックタイマー順次制御モード等により、制御対象下にある各警報局２，２，…に対して１局目の警報局２から最後の警報局２まで、順次、放流警報放送の制御を行なう際、その制御期間内に於いて、起動済みの警報局２から、以降起動する警報局２の制御信号（返送信号を含む）が漏洩雑音
（漏音）として放送されてしまう。
【００１７】
この際の漏洩雑音（漏音）の発生タイミングを図８に示している。ここでは、放流警報放送に先立ち、上記したような所定の順次制御モードで、制御対象下にある各警報局（Ａ局→Ｂ局→Ｃ局…）に順次、放送起動信号を伝送して上記各警報局（Ａ局→Ｂ局→Ｃ局…）の放送出力用アンプを起動する際、その起動制御期間内に於いて、起動済みの警報局（例えばＡ局）から、以降起動する警報局（Ｂ局→Ｃ局…）の放送起動（返送信号を含む）に伴う可聴周波数信号が漏洩し雑音（漏音）として放送されてしまう。この雑音（漏音）は、放流警報放送時のみでなく、放流警報動作の点検、確認時等に於いても、その都度、周囲の住民に騒音として送出されてしまう。
【００１８】
【発明が解決しようとする課題】
上記したように、従来では、制御監視局が、全局順次制御モード、ブロック順次制御モード、タイマー順次制御モード、又はブロックタイマー順次制御モード等の順次制御モードにより、制御対象下にある各警報局に対して１局目の警報局から最後の警報局まで、順次、放流警報放送の制御を行なう際、その制御期間内に於いて、起動済みの警報局から、以降起動する警報局の制御信号が漏洩雑音  （漏音）として放送され、放流警報動作の点検、確認時等に於いて、その都度、周囲の住民に騒音として伝達されてしまうという不都合な問題があった。
【００１９】
本発明は上記実情に鑑みなされたもので、１制御監視局が複数の警報局を制御下に置く放流警報システムに於いて、警報局が順次制御モード下で放送起動信号を受けた後の他の警報局への放送起動信号の伝送に伴う漏音放送を防止する機能を備えた放流警報システム、及び放流警報装置を提供することを目的とする。
【００２０】
【課題を解決するための手段】
本発明は、１制御監視局が複数の警報局を制御下に置く放流警報システムに於いて、上記制御監視局には、放流警報放送の開始に際し、所定の順次制御モードで上記各警報局に順次放送起動をかけ、制御対象にある全ての警報局に放送起動をかけた後に当該各警報局に一斉に特定制御信号を送出する手段を設け、上記警報局には、放送起動後、上記特定制御信号を受けてスピーカのアンプを動作可状態にする手段を設けて、上記各警報局が順次制御モード下で放送起動信号を受けた後の他の警報局への放送起動信号の伝送に伴うスピーカからの雑音（漏音）出力を防止する構成としたことを特徴とする。
【００２１】
上記構成によれば、全ての警報局に放送起動をかけた後に、各警報局のアンプが動作可状態となることから、各警報局が順次制御モード下で放送起動信号を受けた後の他の警報局への放送起動信号の伝送に伴うスピーカからの雑音（漏音）放送を確実に防止することができる。
【００２２】
また、本発明は、放流警報システムに適用される警報局の放流警報装置に於いて、所定の順次制御モードによる放送起動信号の受信後、一斉制御による特定の制御信号（スピーカラインオン信号）を受信することにより、スピーカのアンプ（音声増幅器）を動作可状態にする手段を有してなる構成としたことを特徴とする。
【００２３】
上記構成によれば、順次制御モードによる放送起動信号の受信のみではスピーカを駆動するアンプが動作可状態に至らず、全ての警報局に放送起動信号が送出された後のスピーカラインオン信号を受信して、はじめてアンプが動作可状態となることから、順次制御モード下で放送起動信号を受けた後の他の警報局への放送起動信号の伝送に伴うスピーカからの雑音（漏音）放送を確実に防止することができる。
【００２４】
また本発明は、放流警報システムに適用される警報局の放流警報装置に於いて、上記制御監視局より受信した信号に含まれる、順次制御モード下での放送起動信号順次伝送時に発生する可聴周波数に相当する特定可聴周波数帯の信号成分（放送起動信号順次伝送時の漏音信号成分）を除去するフィルタを放送用信号路上に介在して設けたことを特徴とする。
【００２５】
上記構成によれば、順次制御モード下での放送起動信号順次伝送時に於ける制御信号（返送信号を含む）の可聴音信号成分（漏音信号成分）のみをフィルタでカットすることにより、順次制御モード下で放送起動信号を受けた後の他の警報局への放送起動信号の伝送に伴うスピーカからの雑音（漏音）放送を確実に防止することができるとともに、受信した放送用信号に従った確実な警報放送が行なえる。
【００２６】
また本発明は、放流警報システムに適用される警報局の放流警報装置に於いて、上記制御監視局より受信した信号を所定時間遅延する遅延手段と、上記遅延手段の遅延時間内に於いて上記制御監視局より受信した信号が放送用信号であるか否かを判定し放送用信号でないとき放送禁止制御信号を出力する判定手段と、上記判定手段より出力される放送禁止制御信号をもとに警報放送の出力を制御する警報制御手段とを具備してなることを特徴とする。
【００２７】
上記構成によれば、遅延手段で受信信号を遅らせている間に、判定手段で受信信号を判定し、不用信号（漏音信号）のみをカットすることにより、順次制御による放送起動信号の伝送時に於ける雑音（漏音）放送を防止することができる。即ち、順次制御モード下での放送起動信号の伝送時等に於ける制御系信号の受信時に於いては放送禁止制御信号によりスピーカを駆動する音声増幅器の動作が禁止され、放送用信号を受信した際に、上記判定処理に要する時間分の遅延をもって当該放送用信号に従う警報放送が行なわれることから、順次制御モード下で放送起動信号を受けた後の他の警報局への放送起動信号の伝送に伴うスピーカからの雑音（漏音）放送を確実に防止することができるとともに、受信した放送用信号に欠落が生じることなく、放送用信号に従った確実な警報放送が行なえる。
【００２８】
【発明の実施の形態】
以下図面を参照して本発明の実施形態を説明する。
図１は本発明の第１実施形態による放流警報システムの各警報局に設けられる放流警報装置の全体の構成を示すブロック図である。
【００２９】
図１に於いて、２０は放流警報システムの警報局に設けられた警報装置であり、システム上では図６に示すスピーカ警報装置（又はサイレン警報装置）に相当する。
【００３０】
２ａは放流警報装置全体の制御を司る基本制御部であり、各入出力制御部の入出力制御、受信符号の判定等を行なう。また無線装置を介して制御監視局（図６に示す制御監視局１に相当）との間で、放送起動信号を含む各種の制御信号、可聴音を伴う返送信号、警報放送信号、監視情報等を授受する。
【００３１】
２ｂは上記基本制御部２ａの制御の下に、制御監視局との間で上記したような各種の情報を送受する無線装置であり、建設省７０ＭHZ帯無線装置、又は建設省４００ＭHZ帯無線装置により構成される。
【００３２】
２ｃは無線装置２ｂに接続された変復調部であり、パルス符号を周波数変調信号に変換する変調回路と、周波数変調信号をパルス符号に変換する復調回路等を有して構成される。
【００３３】
２ｄは基本制御部２ａに接続されたバスと無線装置２ｂとの間に介在された伝送制御部であり、制御監視局の制御監視装置との間のデータ伝送手順を管理するとともに、符号の送受信制御を行なう。
【００３４】
２ｅは集音返送部であり、警報制御部２ｈの制御の下に、起動後、約５秒間、可聴音を返送する機能を有するとともに、集音マイクロフォン２ｆで集音した出力音声信号を返送する。尚、複数の集音マイクロフォンがある場合は、そのいずれかを用いて集音した音声信号を返送する。
【００３５】
２ｆは集音マイクロフォンであり、スピーカ２ｊより出力されるチャイム放送及びサイレン疑似音等の警報放送出力を集音し集音返送部２ｅに出力する。
２ｇは集音レベル判定部であり、集音マイクロフォン２ｆで集音した音のレベルを判定する。集音の対象は、ここでは、サイレン疑似音、チャイム音、及び放送音等である。これらのレベル判定は、予め設定された、音圧レベル、吹鳴パターン精度等を含む規定された値に基づいて行なわれる。
【００３６】
２ｈは警報制御部であり、基本制御部２ａの制御の下に、サイレン疑似音制御、及び放送制御を行なう。ここでは音声増幅器２ｉとの間の信号伝送路上に於いて、順次制御モード下での放送起動の際に、同一制御監視局の制御対象にある全ての警報局に放送起動信号が送出されるまで、音声増幅器２ｉへの信号入力が断たれ、スピーカ２ｊからの放送出力が禁止される。
【００３７】
２ｉは音声増幅器（アンプ）であり、警報制御部２ｈより出力されるサイレン疑似音、チャイム音、及び放送音等の警報放送信号を入力し電力増幅してスピーカ２ｊを駆動する。
【００３８】
２ｊは音声増幅器２ｉの出力信号に従い、サイレン疑似音、チャイム音、及び放送音等の警報放送を所定の地域に放送出力するスピーカ（ラウドスピーカ）であり、ここでは２乃至４方向型で、入力１ワットに於ける正面軸上１メートルの地点で音圧が１０４デシベル（ｄＢ）以上確保できる出力音圧特性をもつ構成のものが使用される。
【００３９】
２ｋはチャイム音出力部であり、放送起動後の放送開始前、及び放送終了後に所定の単位時間をもって出力（放送）される。この際のチャイム音は、電子音による４打音（ド−ミ−ソ−ド（高）、及びド−ソ−ミ−ド）である。
【００４０】
２ｐはインピーダンス判定部であり、点検制御時にスピーカ２ｊのインピーダンスを測定し、所定の規格（インピーダンス正常範囲、検音周波数等）を満足するか否かを判定する。
【００４１】
２ｑは音声発生部であり、テープと同様に放送内容をメモリに記憶して、起動指令により読み出され放送される。ここでは放送内容を１項目１分以内として最大３項目まで付加できる構成としている。
【００４２】
２ｒは警報放送の放送起動時に於けるスピーカ２ｊの出力を規制する出力制御部であり、制御監視局から、全局順次制御モード、ブロック順次制御モード、タイマー順次制御モード、又はブロックタイマー順次制御モード等による順次制御モード下で放送起動信号を受けた際、続いて制御監視局から特定の一斉制御信号（スピーカラインオン信号；図３（ｅ）の一斉ラインＯＮ信号参照）を受けるまで、スピーカ２ｊのアンプ起動を禁止するスピーカラインオン／オフ制御信号  （図３（ｈ）参照）を出力する。
【００４３】
２ｓは上記スピーカラインオン／オフ制御信号（図３（ｈ）参照）を受けて音声増幅器２ｉを起動制御するアンプ起動制御部であり、ここでは、スピーカラインオン／オフ制御信号がラインオン状態となるまで、音声増幅器２ｉの信号入力端を警報制御部２ｈの放送用信号出力端より切放し、接地（グランド）レベルに落として音声増幅器２ｉの出力を抑制している。
【００４４】
尚、ここでは音声増幅器２ｉの入力端を警報制御部２ｈの放送用信号出力端より切放し、接地レベルに落とすことで音声増幅器２ｉの出力を抑制する、音声増幅器２ｉの起動制御手段を用いているが、これに限らず、例えば音声増幅器２ｉのゲインコントロールによる手段、音声増幅器２ｉの動作電源制御による手段、音声増幅器出力側でのスピーカ／インピーダンス素子切換による手段等、他のアンプ起動制御手段に於いても実現可能である。
【００４５】
図２は上記した本発明の第１実施形態による放流警報装置２０の要部の構成を示すブロック図であり、ここでは図１と同一部分に同一符号を付して、その説明を省略する。
【００４６】
図３は上記第１実施形態の動作を説明するためのタイムチャートである。
この第１実施形態に於いては、制御監視局（図６の符号１参照）が、放流警報放送の開始に際し、全局順次制御モード、ブロック順次制御モード、タイマー順次制御モード、又はブロックタイマー順次制御モード等、所定の順次制御モードで、制御対象にある各警報局（図６の符号２参照）に、図３（ａ）〜（ｄ）に示すように、順次、放送起動をかけ、制御対象にある全ての警報局（図３ではＡ〜Ｎ局）に放送起動をかけた後に、当該各警報局（Ａ〜Ｎ局）に、一斉制御で、図３（ｅ）に示すスピーカラインオン信号（一斉ラインＯＮ信号）を送出する。
【００４７】
上記各警報局（Ａ〜Ｎ局）の警報装置２０は、上記順次制御モード下で放送起動信号を受けると、音声増幅器２ｉを起動するが、続いて制御監視局からスピーカラインオン信号（一斉ラインＯＮ信号）を受けるまでは、音声増幅器２ｉの信号入力端が警報制御部２ｈの放送用信号出力端より切放され、接地（グランド）レベルとなって動作が禁止された状態にあることからスピーカ２ｊは無音状態  （非駆動状態）にあり、図３（ｅ）に示すスピーカラインオン信号（一斉ラインＯＮ信号）を受信して、はじめてスピーカ２ｊが動作可能となる。この際は、制御監視局より受信したスピーカラインオン信号（一斉ラインＯＮ信号）が変復調部２ｃの復調回路を介して出力制御部２ｒに入力されることにより、出力制御部２ｒからアンプ起動制御部２ｓに、図３（ｈ）に示すようにラインオンレベルのスピーカラインオン／オフ制御信号が出力され、これによりアンプ起動制御部２ｓが音声増幅器２ｉの信号入力端を接地（グランド）レベルから開放し、警報制御部２ｈの放送用信号出力端に接続して、音声増幅器２ｉの動作禁止状態が解除され、スピーカ２ｊの出力動作が可能な状態（放送可能状態）となる。
【００４８】
ここで上記図１乃至図３を参照して本発明の第１実施形態に於ける動作を説明する。
図６に示すような構成をなす放流警報システムに於いて、制御監視局の制御監視装置（図６の符号１参照）は、警報放送に先立ち、制御対象下に置かれた各警報局の警報装置２０に対して所定の順序で図３（ａ）に示すように、順次、放送起動信号を伝送する。
【００４９】
この放送起動信号を受信した各警報局の警報装置２０は、順次制御モード下で放送起動信号を受けると、当該信号に従い、図３（ｂ）乃至（ｄ）に示すように、音声増幅器２ｉを起動制御する。この放送起動制御時に於いては、未だ出力制御部２ｒが変復調部２ｃを介してスピーカラインオン信号（一斉ラインＯＮ信号）を受けていないことから、音声増幅器２ｉの信号入力端を警報制御部２ｈの放送用信号出力端より切放し、接地（グランド）レベルにして、音声増幅器２ｉを動作禁止状態にしている。従ってスピーカ２ｊは作動せず無音状態（非駆動状態）にある。
【００５０】
ここで上記放送起動制御時に於いては、起動済みの警報局（例えばＡ局）から、以降起動する警報局（Ｂ局→Ｃ局…）の放送起動（返送信号を含む）に伴う可聴周波数信号が漏洩し、従来では雑音（漏音）として放送されてしまうが、この実施形態では、上記したように放送起動制御時に於いて音声増幅器２ｉの信号入力端が警報制御部２ｈの放送用信号出力端より切放され、接地（グランド）レベルにあって、音声増幅器２ｉが動作禁止状態にあり、スピーカ２ｊが無音状態（非駆動状態）にあることから、上記雑音（漏音）放送は回避される。
【００５１】
制御監視局の制御監視装置（図６の符号１参照）は、制御対象下に置かれた全ての警報局の警報装置２０に対して、順次、放送起動信号を伝送した後、当該各警報局に対して一斉に、図３（ｅ）に示すスピーカラインオン信号（一斉ラインＯＮ信号）を伝送する。
【００５２】
各警報局の警報装置２０の出力制御部２ｒは、変復調部２ｃの復調回路を介し、順次制御モード下で放送起動信号を受けた後、放送起動信号を受けると、アンプ起動制御部２ｓに、図３（ｈ）に示すようにラインオンレベルのスピーカラインオン／オフ制御信号を出力する。これによりアンプ起動制御部２ｓは音声増幅器２ｉの信号入力端を接地（グランド）レベルから開放し、警報制御部２ｈの放送用信号出力端に接続して、音声増幅器２ｉの動作禁止状態を解除し、スピーカ２ｊの出力動作が可能な状態（放送可能状態）にする。
【００５３】
制御監視局の制御監視装置（図６の符号１参照）は、制御対象下に置かれた全ての警報局の警報装置２０に対して、一斉にスピーカラインオン信号（一斉ラインＯＮ信号）を伝送した後、既存システムと同様に、上記各警報局の警報装置２０に対して一斉に放流警報放送の音声信号を伝送し、その後、一斉放送停止信号を伝送する。
【００５４】
各警報局の警報装置２０に設けられた警報制御部２ｈは、変復調部２ｃの復調回路を介して上記放流警報放送の音声信号を受けると、当該音声信号をアンプ起動制御部２ｓを介して音声増幅器２ｉに送出する。
【００５５】
音声増幅器２ｉは警報制御部２ｈより入力した放流警報放送の音声信号を電力増幅しスピーカ２ｊを駆動して放流警報をスピーカ２ｊより放送する。
上記したように本発明の第１実施形態による放送起動制御によれば、全ての警報局の警報装置２０に放送起動をかけた後に、各警報局の警報装置２０に設けられた音声増幅器（アンプ）２ｉが起動することから、各警報局が順次制御モード下で放送起動信号を受けた後の他の警報局への放送起動信号の伝送に伴うスピーカ２ｊからの雑音（漏音）放送を確実に防止することができる。
【００５６】
次に、図４を参照して本発明の第２実施形態を説明する。
図４は本発明の第２実施形態による放流警報装置２０の要部の構成を示すブロック図であり、ここでは図１と同一部分に同一符号を付して、その説明を省略する。
【００５７】
この第２実施形態は、制御監視局の制御対象下にある各警報局のスピーカ２ｊを駆動する警報出力回路上に、上記受信信号に含まれる、順次制御モード下での放送起動信号順次伝送時に発生する可聴周波数に相当する特定可聴周波数帯の信号成分を除去する、即ち放送起動信号順次伝送時の漏音信号成分を除去するフィルタを介在して、制御監視局の放送起動制御は既存のままで、放送起動制御時に於ける放送起動信号の伝送に伴うスピーカ２ｊからの雑音（漏音）放送を防止する構成としたものである。
【００５８】
図４に於いて、２ｍは制御監視局より受信した制御信号をもとに警報制御部２ｈを制御する受信制御部である。２ｎは順次制御モード下での放送起動信号順次伝送時に発生する可聴周波数に相当する特定可聴周波数帯の信号成分を除去するフィルタ回路であり、ここでは警報制御部２ｈに前置されて、警報制御部２ｈに入力される放送用信号の放送起動信号順次伝送時に於ける漏音信号成分を除去する。
【００５９】
上記構成に於いて、制御監視局の制御監視装置（図６の符号１参照）は、警報放送に先立ち、制御対象下に置かれた各警報局の警報装置２０に対して所定の順序で、順次、放送起動信号を伝送する。
【００６０】
上記各警報局の警報装置２０に設けられた受信制御部２ｍは変復調部２ｃの復調回路を介して所定の順次制御モードによる放送起動信号を受信すると、警報制御部２ｈを介して音声増幅器２ｉを起動制御する。
【００６１】
ここで上記放送起動制御時に於いては、起動済みの警報局（例えばＡ局）から、以降起動する警報局（Ｂ局→Ｃ局…）の放送起動（返送信号を含む）に伴う可聴周波数信号が漏洩し、従来では雑音（漏音）として放送されてしまうが、この実施形態では、警報制御部２ｈの前段にフィルタ回路２ｎが介挿され、当該フィルタ回路２ｎによって、警報制御部２ｈに入力される放送用信号に含まれる放送起動信号順次伝送時の漏音信号成分がカットされる。
【００６２】
これにより、音声増幅器２ｉに入力される信号から、順次制御モード下での放送起動信号順次伝送時に発生する可聴周波数に相当する特定可聴周波数帯の信号成分のみが除去され、従って制御信号の漏洩による雑音（漏音）のない警報放送が可能となる。
【００６３】
次に、図５を参照して本発明の第３実施形態を説明する。
図５は本発明の第３実施形態による放流警報装置２０の要部の構成を示すブロック図であり、ここでは図１と同一部分に同一符号を付して、その説明を省略する。
【００６４】
この第３実施形態は、制御監視局より受信した信号を所定時間遅延する遅延回路と、この遅延回路の遅延時間内に於いて制御監視局より受信した信号が放送用信号であるか否かを判定し放送用信号でないとき放送禁止制御信号を出力する判定回路と、この判定回路より出力される放送禁止制御信号をもとに警報放送の出力を制御する警報制御部とを具備して、遅延回路で受信信号を遅らせている間に、判定回路で受信信号を判定し、不用信号（漏音信号）のみをカットすることにより、順次制御による放送起動信号の伝送時に於ける雑音（漏音）放送を防止する構成としたものである。即ち、順次制御モード下での放送起動信号の伝送時等に於ける制御系信号の受信時に於いては放送禁止制御信号によりスピーカを駆動する音声増幅器の動作が禁止され、放送用信号を受信した際に、上記判定処理に要する時間分の遅延をもって当該放送用信号に従う警報放送が行なわれることから、順次制御モード下で放送起動信号を受けた後の他の警報局への放送起動信号の伝送に伴うスピーカからの雑音（漏音）放送を確実に防止することができるとともに、受信した放送用信号に欠落が生じることなく、放送用信号に従った確実な警報放送が可能となる。
【００６５】
図５に於いて、２ｕは制御監視局より受信した信号が放送用信号であるか否かを判定する判定回路であり、放送用信号でないとき放送禁止制御信号を警報制御部２ｈに送出する。
【００６６】
２ｖは警報制御部２ｈに前置された遅延回路であり、警報制御部２ｈに入力される放送用信号を上記判定回路２ｕの判定動作所要時間をもって遅延する。
上記構成に於いて、制御監視局の制御監視装置（図６の符号１参照）は、警報放送に先立ち、制御対象下に置かれた各警報局の警報装置２０に対して所定の順序で、順次、放送起動信号を伝送する。
【００６７】
上記各警報局の警報装置２０に設けられた受信制御部２ｍは変復調部２ｃの復調回路を介して所定の順次制御モードによる放送起動信号を受信すると、警報制御部２ｈを介して音声増幅器２ｉを起動制御する。
【００６８】
ここで上記放送起動制御時に於いては、起動済みの警報局（例えばＡ局）から、以降起動する警報局（Ｂ局→Ｃ局…）の放送起動（返送信号を含む）に伴う可聴周波数信号が漏洩し、従来では雑音（漏音）として放送されてしまうが、この実施形態では、遅延回路２ｖで受信信号を遅らせている間に、判定回路２ｕで受信信号を判定し、その判定信号をもとに警報制御部２ｈが不用信号（漏音信号）のみをカットする。これにより、順次制御による放送起動信号の伝送時に於ける雑音（漏音）放送が防止され、かつ欠落の無い正しい警報放送が行なわれる。
【００６９】
【発明の効果】
以上詳記したように本発明によれば、１制御監視局が複数の警報局を制御下に置く放流警報システムに於いて、警報局が順次制御モード下で放送起動信号を受けた後の他の警報局への放送起動信号の伝送に伴う漏音放送を防止する機能を備えた放流警報システム、及び放流警報装置が提供できる。
【００７０】
即ち、本発明によれば、１制御監視局が複数の警報局を制御下に置く放流警報システムに於いて、上記制御監視局には、放流警報放送の開始に際し、所定の順次制御モードで上記各警報局に順次放送起動をかけ、制御対象にある全ての警報局に放送起動をかけた後に当該各警報局に一斉に特定制御信号を送出する手段を設け、上記警報局には、放送起動後、上記特定制御信号を受けてスピーカのアンプを動作可状態にする手段を設けて、上記各警報局が順次制御モード下で放送起動信号を受けた後の他の警報局への放送起動信号の伝送に伴うスピーカからの雑音（漏音）出力を防止する構成としたことにより、全ての警報局に放送起動をかけた後に、各警報局のアンプが動作可状態となることから、各警報局が順次制御モード下で放送起動信号を受けた後の他の警報局への放送起動信号の伝送に伴うスピーカからの雑音（漏音）放送を確実に防止することができる。
【００７１】
また、本発明によれば、放流警報システムに適用される警報局の放流警報装置に於いて、所定の順次制御モードによる放送起動信号の受信後、一斉制御による特定の制御信号（スピーカラインオン信号）を受信することにより、スピーカのアンプ（音声増幅器）を動作可状態にする手段を有してなる構成としたことにより、順次制御モードによる放送起動信号の受信のみではスピーカを駆動するアンプが動作可状態に至らず、全ての警報局に放送起動信号が送出された後のスピーカラインオン信号を受信して、はじめてアンプが動作可状態となることから、順次制御モード下で放送起動信号を受けた後の他の警報局への放送起動信号の伝送に伴うスピーカからの雑音（漏音）放送を確実に防止することができる。
【００７２】
また本発明によれば、放流警報システムに適用される警報局の放流警報装置に於いて、上記制御監視局より受信した信号に含まれる、順次制御モード下での放送起動信号順次伝送時に発生する可聴周波数に相当する特定可聴周波数帯の信号成分（放送起動信号順次伝送時の漏音信号成分）を除去するフィルタをスピーカを駆動する放送用信号路に介在してなる構成としたことにより、順次制御モード下での放送起動信号順次伝送時に於ける制御信号（返送信号を含む）の可聴音信号成分（漏音信号成分）のみをフィルタでカットして、順次制御モード下で放送起動信号を受けた後の他の警報局への放送起動信号の伝送に伴うスピーカからの雑音（漏音）放送を確実に防止することができるとともに、受信した放送用信号に従った確実な警報放送が行なえる。
【００７３】
また本発明によれば、放流警報システムに適用される警報局の放流警報装置に於いて、上記制御監視局より受信した信号を所定時間遅延する遅延手段と、上記遅延手段の遅延時間内に於いて上記制御監視局より受信した信号が放送用信号であるか否かを判定し放送用信号でないとき放送禁止制御信号を出力する判定手段と、上記判定手段より出力される放送禁止制御信号をもとに警報放送の出力を制御する警報制御手段とを具備してなる構成としたことにより、遅延手段で受信信号を遅らせている間に、判定手段で受信信号を判定し、不用信号（漏音信号）のみをカットすることで、順次制御による放送起動信号の伝送時に於ける雑音（漏音）放送を防止することができる。
【図面の簡単な説明】
【図１】本発明の第１実施形態による放流警報システムの各警報局に設けられる放流警報装置の全体の構成を示すブロック図。
【図２】上記第１実施形態による放流警報装置の要部の構成を示すブロック図。
【図３】上記第１実施形態の動作を説明するためのタイムチャート。
【図４】本発明の第２実施形態による放流警報装置の要部の構成を示すブロック図。
【図５】本発明の第３実施形態による放流警報装置の要部の構成を示すブロック図。
【図６】本発明で対象とする放流警報システムの構成を示すブロック図。
【図７】上記図６に示す放流警報システムの一構成要素をなす制御監視局の制御監視装置で扱う放流警報水系図の画面構成例を示す図。
【図８】上記図６に示す放流警報システムの漏洩雑音（漏音）の発生タイミングを示す図。
【符号の説明】
２０…警報装置、
２ａ…基本制御部、
２ｂ…無線装置、
２ｃ…変復調部、
２ｄ…伝送制御部、
２ｅ…集音返送部、
２ｆ…集音マイクロフォン、
２ｇ…集音レベル判定部、
２ｈ…警報制御部、
２ｉ…音声増幅器（アンプ）、
２ｊ…スピーカ（ラウドスピーカ）、
２ｋ…チャイム音出力部、
２ｍ…受信制御部、
２ｎ…フィルタ回路、
２ｐ…インピーダンス判定部、
２ｑ…音声発生部、
２ｒ…出力制御部、
２ｓ…アンプ起動制御部、
２ｕ…判定回路、
２ｖ…遅延回路。
【図１】
0003699824.tif 000002
【図２】
0003699824.tif 000003
【図３】
0003699824.tif 000004
【図４】
0003699824.tif 000005
【図５】
0003699824.tif 000006
【図６】
0003699824.tif 000007
【図７】
0003699824.tif 000008
【図８】
0003699824.tif 000009